(57)【要約】【課題】画面表示の邪魔にならないように、使用終了予定時刻を使用者に知らせることのできる映像表示装置を得る。【解決手段】入力映像信号に基づいて出力映像信号を生成する映像信号処理部３２と、映像信号処理部３２が出力する信号に基づいて画面表示を行う表示部と、所定のメッセージを画面表示するタイミングを指定する情報（以下、タイミング指定情報と呼ぶ）を格納する記憶部５１と、映像信号処理部３２の動作を制御する制御部２１とを備え、制御部２１は、記憶部５１に格納されているタイミング指定情報を読み取り、当該タイミング指定情報により指定されるタイミングで、所定のメッセージを画面表示するように、映像信号処理部３２を制御することを特徴とする。【選択図】図５
2008107708.tif 000002
【特許請求の範囲】
【請求項１】
入力映像信号に基づいて出力映像信号を生成する映像信号処理部と、
前記映像信号処理部が出力する信号に基づいて画面表示を行う表示部と、
所定のメッセージを画面表示するタイミングを指定する情報（以下、タイミング指定情報と呼ぶ）を格納する記憶部と、
前記映像信号処理部の動作を制御する制御部とを備え、
前記制御部は、
前記記憶部に格納されているタイミング指定情報を読み取り、
当該タイミング指定情報により指定されるタイミングで、所定のメッセージを画面表示するように、前記映像信号処理部を制御することを特徴とする映像表示装置。
【請求項２】
操作内容に対応した操作信号を出力する操作部を備え、
該操作部は、
前記タイミング指定情報を含む操作信号を前記制御部に出力し、
前記制御部は、
該操作信号に基づいて、前記記憶部に前記タイミング指定情報を格納することを特徴とする請求項１に記載の映像表示装置。
【請求項３】
前記記憶部は、
複数の前記タイミング指定情報を格納しており、
前記操作部は、
前記記憶部に格納されている前記タイミング指定情報のうちの１ないし複数が指定された旨の操作信号を前記制御部に出力し、
前記制御部は、
該操作信号により特定される前記タイミング指定情報が指定された旨を、前記記憶部に格納し、
当該タイミング指定情報により指定されるタイミングで、所定のメッセージを画面表示するように、前記映像信号処理部を制御することを特徴とする請求項２に記載の映像表示装置。
【請求項４】
前記記憶部は、
前記メッセージの画面表示位置を指定する情報（以下、位置指定情報と呼ぶ）を複数格納しており、
前記操作部は、
前記位置指定情報のうちの１つが指定された旨の操作信号を前記制御部に出力し、
前記制御部は、
該操作信号により特定される前記位置指定情報が指定された旨を前記記憶部に格納し、
当該位置指定情報に基づいて、前記メッセージを画面表示するように前記映像信号処理部を制御することを特徴とする請求項２又は請求項３に記載の映像表示装置。
【発明の詳細な説明】
【技術分野】
【０００１】
本発明は、映像表示装置に関するものである。
【背景技術】
【０００２】
従来、『時刻を示す時計を投影画像内に表示することができるプロジェクタ装置を提供する。』ことを目的とした技術として、『入力された画像データに基づいてディスプレイに画像を表示し、時刻を示す時計の画像をディスプレイ上の画像に重ねて表示し、ディスプレイ上の画像に光を照射してその画像を拡大投影する。』というものが提案されている（特許文献１）。
上記従来技術は、プロジェクタ装置を使用してプレゼンテーションなどを行う際に、時間の進み具合を逐次把握し、プレゼンテーションなどの進行状況を適切にコントロールするような用途において、有用な技術である。
【特許文献１】特開平１０−２６７９９号公報（要約）
【発明の開示】
【発明が解決しようとする課題】
【０００３】
しかしながら、ディスプレイ上の画像に常に時計を表示させておくと、画面の一部が時計表示により隠れてしまうので、表示画像が見にくくなるという課題があった。
また、ディスプレイ上に時計を表示させておく場合、使用者がプレゼンテーションなどの終了予定時刻をあらかじめ覚えているのであれば特段の問題はないが、終了予定時刻を覚えていない場合、いつの時点でプレゼンテーションを終了するように進行を調整すればよいのか、時刻表示のみでは分からない。
本発明は、上記のような課題を解決するためになされたもので、画面表示の邪魔にならないように、使用終了予定時刻を使用者に知らせることのできる映像表示装置を得ることを目的とする。
【課題を解決するための手段】
【０００４】
本発明に係る映像表示装置は、入力映像信号に基づいて出力映像信号を生成する映像信号処理部と、前記映像信号処理部が出力する信号に基づいて画面表示を行う表示部と、所定のメッセージを画面表示するタイミングを指定する情報（以下、タイミング指定情報と呼ぶ）を格納する記憶部と、前記映像信号処理部の動作を制御する制御部とを備え、前記制御部は、前記記憶部に格納されているタイミング指定情報を読み取り、当該タイミング指定情報により指定されるタイミングで、所定のメッセージを画面表示するように、前記映像信号処理部を制御する。
そのため、あらかじめ設定されたタイミングで映像表示装置の使用者にメッセージを表示できるので、使用者へ終了予定時刻を報知する効果を発揮できる。また、あらかじめ設定されたタイミング以外ではメッセージを表示しないので、メッセージが画面表示の邪魔になることはない。
【０００５】
また、本発明に係る映像表示装置は、操作内容に対応した操作信号を出力する操作部を備え、該操作部は、前記タイミング指定情報を含む操作信号を前記制御部に出力し、前記制御部は、該操作信号に基づいて、前記記憶部に前記タイミング指定情報を格納する。
そのため、メッセージの表示タイミングは使用者が自由に設定することができ、映像表示装置の上映内容に応じて柔軟に構成することができる。
【０００６】
また、本発明に係る映像表示装置において、前記記憶部は、複数の前記タイミング指定情報を格納しており、前記操作部は、前記記憶部に格納されている前記タイミング指定情報のうちの１ないし複数が指定された旨の操作信号を前記制御部に出力し、前記制御部は、該操作信号により特定される前記タイミング指定情報が指定された旨を、前記記憶部に格納し、当該タイミング指定情報により指定されるタイミングで、所定のメッセージを画面表示するように、前記映像信号処理部を制御する。
そのため、使用者はタイミング指定情報を複数の選択肢から選ぶという簡単な操作でメッセージの表示タイミングを設定することができ、メッセージ表示タイミング設定のために複雑な操作を要さないので使い勝手を損なうことがなく、ユーザフレンドリーの観点から好ましい。
【０００７】
また、本発明に係る映像表示装置において、前記記憶部は、前記メッセージの画面表示位置を指定する情報（以下、位置指定情報と呼ぶ）を複数格納しており、前記操作部は、前記位置指定情報のうちの１つが指定された旨の操作信号を前記制御部に出力し、前記制御部は、該操作信号により特定される前記位置指定情報が指定された旨を前記記憶部に格納し、当該位置指定情報に基づいて、前記メッセージを画面表示するように前記映像信号処理部を制御する。
そのため、使用者は位置指定情報を複数の選択肢から選ぶという簡単な操作でメッセージの表示位置を設定することができ、メッセージ表示位置設定のために複雑な操作を要さないので使い勝手を損なうことがなく、ユーザフレンドリーの観点から好ましい。
また、上映する映像の内容に合わせてメッセージ表示位置を設定できるので、メッセージにより映像を不用意に隠してしまうことがなく、視聴者にとって便宜である。
【発明を実施するための最良の形態】
【０００８】
実施の形態１．
図１は、本発明の実施の形態１に係る映像表示装置の構成を示すブロック図である。
図１の映像表示装置１は、本実施の形態１に係る映像表示装置であり、液晶パネル駆動部１１、液晶パネル１２、制御部２１、映像入力部３１、映像信号処理部３２、フレームメモリ３３、操作パネル４１、操作信号処理部４２、記憶部５１、時計制御部６１を備える。
【０００９】
液晶パネル駆動部１１は、映像信号処理部３２の出力する出力映像信号に応じて、液晶パネル１２を駆動する。
液晶パネル１２は、ユーザに視聴映像を提供する画面表示部である。
本実施の形態１における「表示部」は、液晶パネル駆動部１１と液晶パネル１２がこれに該当する。
【００１０】
制御部２１は、映像信号処理部３２の動作を制御するための信号を、映像信号処理部３２に出力する。また、操作信号処理部４２より受け取った操作信号に基づき、対応する制御動作を実行する。
さらに、記憶部５１が格納している表示タイミング情報を読み出し、当該表示タイミング情報により指定されるタイミングで、所定のメッセージを画面表示するように、映像信号処理部３２を制御する。詳細は後述する。
制御部２１は、例えばマイコンやＤＳＰ（Ｄｉｇｉｔａｌ  Ｓｉｇｎａｌ  Ｐｒｏｃｅｓｓｏｒ）のような演算装置で構成することができる。
【００１１】
映像入力部３１は、映像表示装置１の外部機器等から与えられる映像信号を受け取り、アナログ映像信号であればデジタル映像信号に変換するなどの処理を施して、映像信号処理部３２に出力する。
映像信号処理部３２は、映像入力部３１からの入力映像信号を１フレーム（１画面）毎にフレームメモリ３３に記憶させるとともに、フレームメモリ３３に記憶された映像（以下、フレーム映像ともいう）を読み出す機能を有し、入力映像信号と制御部２１の指示に基づいてデジタルの出力映像信号を生成して液晶パネル駆動部１１に出力する。
映像信号処理部３２は、マイクロプロセッサ等により構成され、内蔵したプログラムを実行することにより、上記の処理を行う。
【００１２】
映像入力部３１に入力される映像信号の供給源としては、例えばＴＶチューナーからの放送映像信号や、ＶＴＲ機器からの録画映像信号、コンピュータの映像出力端子から出力される映像信号、等がある。
また、映像入力部３１の具体的な構成としては、入力映像信号の種類等に応じて、ピン端子やコンポジット入力端子、Ｓ端子などの一般的なＡＶ端子の他、同軸ケーブルの入力端子、赤外線入力部、等の構成とすることができる。
【００１３】
操作パネル４１は、映像表示装置１の本体筐体の外面に設けられ、ユーザの操作情報を受け付けるためのものである。
ユーザが操作パネル４１に配置されたキーを押下等すると、それに対応した操作信号が操作信号処理部４２に出力される。
また、リモコンＲＣも操作パネル４１と同様にユーザの操作情報を受け付け、それに対応した操作信号を無線により操作信号処理部４２に出力する。
操作信号処理部４２は、操作パネル４１やリモコンＲＣが出力した操作信号を受け取り、デジタル信号に変換するなどの処理を施して、制御部２１に出力する。
【００１４】
記憶部５１は、後述の図４で説明する表示タイミングテーブル５１１を格納している。
記憶部５１は、ＨＤＤやＲＡＭ（Ｒａｎｄｏｍ  Ａｃｃｅｓｓ  Ｍｅｍｏｒｙ）等の書き込み可能な記憶装置により構成される。
【００１５】
時計制御部６１は、ＲＴＣ（Ｒｅａｌ  Ｔｉｍｅ  Ｃｌｏｃｋ）などからなるアラームタイマを備える。動作の詳細は後述の図６で説明する。
【００１６】
ここで、本実施の形態１に係る映像表示装置１の詳細な構成説明を行う前に、ユーザから見た動作について説明する。
【００１７】
図２は、映像表示装置１のユーザから見た動作について説明するものである。
図２（１）は、映像上映開始時点での画面表示の様子を示している。上映開始時点においては、通常の映像表示装置と同様の動作を行う。
図２（２）は、終了予定時刻の１０分前時点での画面表示の様子を示している。表示画面の右下に、「終了１０分前です。」と小さく表示されており、あと１０分で終了予定時刻に達することをユーザに報知している。
ユーザは、後述の図３で説明する設定画面で、終了前のいずれのタイミングで映像表示装置１が報知を行うのかを、あらかじめ設定しておく。これにより、ユーザとしては終了タイミングを確実に知ることができるとともに、設定したタイミング以外の段階では報知を行わないので、表示画面を報知メッセージで隠してしまうことがなく、視聴の邪魔になることがない。
【００１８】
なお、図２（２）の右下に表示されている報知メッセージは、ユーザが所定のキー操作等を行うか、一定時間（例えば１０秒）が経過した後に、画面上から消去される。
【００１９】
図３は、映像表示装置１のユーザが、メッセージの表示タイミングを事前に設定するための設定画面例である。
ユーザは、映像表示装置１の操作メニュー等より図３の画面を呼び出す。図３の画面には、映像表示装置１による映像上映の終了予定時刻を入力する「終了予定時刻」欄と、終了予定時刻前のいずれのタイミングで報知メッセージを表示するかの複数の選択肢が表示される。
ユーザは操作パネル４１やリモコンＲＣを操作して、それぞれの項目の設定を行う。
（１）終了予定時刻の入力欄
この入力欄には、終了予定時刻を２４時間表示「ｈｈ：ｍｍ」（ｈ：時、ｍ：分）で指定する。
（２）報知メッセージの表示タイミング選択肢
図３の例では、「（１）５分前」「（２）１０分前」「（３）１５分前」の３つの選択肢が表示されている。それぞれの選択肢の右側にはチェックボックスが表示され、各表示タイミングで報知メッセージを表示させるか否かを、チェックボックスへのチェックにより指定することができる。
（３）ＯＫ／Ｃａｎｃｅｌボタン
ユーザは、設定が完了すると、「ＯＫ」ボタンを押下する。設定内容は制御部２１を介して記憶部５１に格納される。
設定内容をリセットするときは、「Ｃａｎｃｅｌ」ボタンを押下する。
【００２０】
図４は、記憶部５１が格納する表示タイミングテーブル５１１の構成を説明するものである。
表示タイミングテーブル５１１は、「終了予定時刻」列、「５分前」列、「１０分前」列、「１５分前」列を有している。
「終了予定時刻」列は、図３の「終了予定時刻」欄に該当し、ユーザが同欄に入力した値は、本列に４桁の半角数字形式「ｈｈｍｍ」（ｈ：時、ｍ：分）で格納される。
「５分前」列は、図３の選択肢「（１）５分前」に該当し、ユーザが同選択肢のチェックボックスにチェックを入れた場合は「１」、チェックを入れていない場合は「０」が格納される。
「１０分前」列は、図３の選択肢「（２）１０分前」に該当し、ユーザが同選択肢のチェックボックスにチェックを入れた場合は「１」、チェックを入れていない場合は「０」が格納される。
「１５分前」列は、図３の選択肢「（３）１５分前」に該当し、ユーザが同選択肢のチェックボックスにチェックを入れた場合は「１」、チェックを入れていない場合は「０」が格納される。
なお、本実施の形態１における「タイミング指定情報」は、上記各列に格納される情報がこれに該当する。
【００２１】
図５は、ユーザが図３で説明した画面でメッセージ表示タイミングを設定する際の、映像表示装置１の内部動作を表すフローである。以下、各ステップの処理内容について説明する。
（Ｓ５０１）
ユーザが操作パネル４１を操作して、図３で説明した画面を呼び出す指示を行うと、その旨に対応した操作信号が操作信号処理部４２に出力される。
（Ｓ５０２）
操作信号処理部４２は、操作パネル４１より受け取った操作信号をデジタル化処理するなどして制御部２１が処理可能な形式に変換し、制御部２１に出力する。
（Ｓ５０３）
制御部２１は、図３で説明した画面を呼び出す旨の信号を操作信号処理部４２より受け取ると、記憶部５１にアクセスし、表示タイミングテーブル５１１に格納している情報を読み取る。
（Ｓ５０４）
制御部２１は、記憶部５１より読み取った情報を基に映像信号処理部３２に指示を出し、図３で説明したメッセージ表示タイミング設定画面を画面表示させる。
ユーザは、図３で説明したメッセージ表示タイミング設定画面で、同図に示したような操作を行って、表示タイミングの設定を映像表示装置１に指示する。
（Ｓ５０５）
制御部２１は、図３の画面における「ＯＫ」ボタン入力を待機する。
「ＯＫ」ボタンが押下されると、ステップＳ５０４でユーザが行ったメッセージ表示タイミング設定指示に対応した操作信号が操作信号処理部４２に出力され、ステップＳ５０２と同様に制御部２１へ出力される。
制御部２１は、操作信号処理部４２より、ユーザのメッセージ表示タイミング設定指示に相当する信号を受け取る。
（Ｓ５０６）
制御部２１は、ステップＳ５０５で操作信号処理部４２より受け取った信号に基づく情報を、記憶部５１の表示タイミングテーブル５１１に格納する。
（Ｓ５０７）
制御部２１は、時計制御部６１のアラームタイマを、最初のメッセージ表示タイミングにセットする。
【００２２】
図６は、制御部２１が時計制御部６１のアラームタイマから通知を受けた際の内部動作を表すフローである。以下、各ステップの処理内容について説明する。
（Ｓ６０１）
時計制御部６１のアラームタイマは、図５のステップＳ５０７において制御部２１がセットした最初のメッセージ表示タイミングで、制御部２１に通知を出す。
（Ｓ６０２）
制御部２１は、映像信号処理部３２に指示を出し、「終了１０分前です。」などの報知メッセージを画面表示させるように制御する。
映像信号処理部３２は、入力映像信号とは別の表示レイヤーに文字情報を作成し、入力映像信号と重ね合わせた上で、液晶パネル駆動部１１に出力映像信号を出力する。
液晶パネル駆動部１１は、映像信号処理部３２が出力する出力映像信号に基づいて液晶パネル１２を駆動する。
液晶パネル１２には、入力映像とともに、「終了１０分前です。」などの報知メッセージが画面表示される。
（Ｓ６０３）
制御部２１は、記憶部５１にアクセスし、表示タイミングテーブル５１１に格納している情報を読み取る。
（Ｓ６０４）
制御部２１は、時計制御部６１のアラームタイマを、次のメッセージ表示タイミングにセットする。次のメッセージ表示タイミングが存在しなければ、本ステップの処理は省略する。
（Ｓ６０５）
制御部２１は、報知メッセージを画面から消去するまでのカウントを開始する。
（Ｓ６０６）
制御部２１は、操作信号処理部４２から操作信号が出力されたか否か等により、所定のキー入力があったかどうかを判断する。
ここでいう所定のキー入力とは、画面に表示されている報知メッセージを画面から消去するための所定のキー操作のことを言う。
所定のキー入力があった場合はステップＳ６０８へ進み、なかった場合はステップＳ６０７へ進む。
（Ｓ６０７）
制御部２１は、ステップＳ６０５で開始したカウントを参照し、所定時間（例えば１０秒）が経過したか否かを判断する。
所定時間が経過していればステップＳ６０８へ進み、経過していなければステップＳ６０６に戻る。
（Ｓ６０８）
制御部２１は、映像信号処理部３２に指示を出し、報知メッセージの画面表示を終了させるように制御する。
映像信号処理部３２は、報知メッセージの表示前と同様に、入力映像信号に基づいて出力映像信号を生成し、液晶パネル駆動部１１に出力する。
液晶パネル駆動部１１は、映像信号処理部３２が出力する出力映像信号に基づいて液晶パネル１２を駆動する。
液晶パネル１２には、入力映像が表示され、報知メッセージは画面から消去される。
【００２３】
以上のように、本実施の形態１に係る映像表示装置によれば、あらかじめ設定したタイミングで報知メッセージを画面表示するので、終了予定時刻に近くなった時点でユーザがその旨を知ることができる。
また、あらかじめ設定されたタイミング以外ではメッセージを表示しないので、メッセージが画面表示の邪魔になることはない。
【００２４】
実施の形態２．
図７は、本発明の実施の形態２に係る映像表示装置の一例としてのプロジェクタの構成を示すブロック図である。
図７に示すプロジェクタ２の構成は、画面表示部分の構成を除いて図１の構成と同様であるため、同様の機能を有する構成部分には同様の符号を付して説明を省略する。
以下、図１との相違点のみを説明する。
【００２５】
プロジェクタ２は、図１における液晶パネル駆動部１１と液晶パネル１２に替えて、光源１３、液晶ライトバルブ駆動部１４、液晶ライトバルブ１５Ｒ、１５Ｇ、及び１５Ｂ、投射光学系１６、スクリーンＳＣを備える。
【００２６】
光源１３は、最終的にユーザへ表示する映像のための光源供給部であり、液晶ライトバルブ１５Ｒ、１５Ｇ、及び１５Ｂに向けて光を射出する。
液晶ライトバルブ駆動部１４は、映像信号処理部３２が出力する出力映像信号に基づいて、液晶ライトバルブ１５Ｒ、１５Ｇ、及び１５Ｂを駆動する。
液晶ライトバルブ１５Ｒ、１５Ｇ、及び１５Ｂは、複数の図示しない画素がマトリクス状に形成されており、液晶ライトバルブ駆動部１４により各画素の透過率が調整されることにより、光源１３から射出された光を変調し、投射光学系１６に向けて射出する。
液晶ライトバルブ１５Ｒ、１５Ｇ、及び１５Ｂから射出された光は、投射光学系１６によってスクリーンＳＣ上に拡大投射される。
投射光学系１６には、投射光の焦点を変更可能なフォーカス機構と、投射光の拡大率を変更可能なズーム機構とが備えられている。
【００２７】
本実施の形態２における「表示部」は、光源１３、液晶ライトバルブ駆動部１４、液晶ライトバルブ１５Ｒ、１５Ｇ、及び１５Ｂ、投射光学系１６がこれに該当する。
【００２８】
なお、映像入力部３１への入力映像信号は実施の形態１と同様であるが、プロジェクタの用途としてパーソナルコンピュータ（ＰＣ）の表示画面を投射することが多いと思われるため、図７に示すようにＰＣ３の映像出力端子に対応した映像入力端子を備えることが望ましい。
【００２９】
プロジェクタ２の動作は、原則として実施の形態１で説明したものと同様であるため、説明を省略する。
プロジェクタ２を用いることにより、例えばＰＣを用いたプレゼンテーションを行う際などに、ユーザとしては終了タイミングを確実に知ることができるとともに、設定したタイミング以外の段階では報知を行わないので、表示画面を報知メッセージで隠してしまうことがなく、視聴の邪魔になることがない。
以下、実施の形態１における映像表示装置１と異なる動作について、説明する。
【００３０】
図８は、メッセージ表示タイミング設定画面の別の構成例を示すものである。
メッセージ表示タイミング設定画面の構成は、図３で説明したものに限られるものではなく、例えば図８に示すように、プルダウン選択ボックスで表示タイミングを選択するような画面構成とすることができる。実施の形態１における映像表示装置１でも、同様の画面構成とすることができる。
なお、１回目の表示時刻と２回目の表示時刻が時間的に逆になっているような場合（例えば、１回目の表示時刻に「１０分前」、２回目の表示時刻に「５分前」と設定したような場合）は、制御部２１が適宜判断して矛盾のないように処理する。
いずれの画面構成をとるにしても、選択肢の内容はあらかじめ記憶部５１に格納しておく必要がある。
【００３１】
次に、図８のメッセージ表示タイミング設定画面を表示する際のプロジェクタ２の動作について説明する。
（１）記憶部５１は、図８のプルダウン選択ボックスに表示されるタイミング指定情報の各選択肢「５分前」〜「３０分前」をあらかじめ格納している。
（２）制御部２１は、図８の画面を表示させる際に、記憶部５１より上記選択肢「５分前」〜「３０分前」を読み出し、プルダウン選択ボックスに表示させる。
（３）ユーザは、操作パネル４１を操作し、図８の画面上でプルダウン選択ボックスのいずれかの選択肢を選択して「ＯＫ」ボタンを押下する。
（４）操作パネル４１は、ユーザが上記（３）でタイミング指定情報の選択肢を指定した旨の操作信号を操作信号処理部４２に出力する。操作信号処理部４２は、受け取った操作信号をデジタル化するなどの処理を施して、制御部２１に出力する。
（５）制御部２１は、操作信号処理部４２より受け取った信号に基づき、上記（３）で各選択肢が指定された旨を記憶部５１に格納する。格納形式は、表示タイミングテーブル５１１のようなテーブルを設けて格納するなど、適宜好適な形式を用いることができる。
（６）制御部２１は、記憶部５１にアクセスし、いずれの選択肢が指定されたかを読み取り、アラームタイマをセットする。アラームタイマのセット〜報知メッセージ表示の動作は、実施の形態１で説明した図５〜図６と同様であるため、説明を省略する。
【００３２】
なお、本実施の形態２で説明したような、タイミング指定情報を複数の選択肢から選ぶ構成は、実施の形態１で説明した映像表示装置１にも適用できることを付言しておく。
【００３３】
以上のように、本実施の形態２によれば、実施の形態１で説明した映像表示装置１と同様の効果を奏するプロジェクタを得ることができる。また、使用者はタイミング指定情報を複数の選択肢から選ぶという簡単な操作でメッセージの表示タイミングを設定することができ、使い勝手を損なうことがなく、ユーザフレンドリーの観点から好ましい。
【００３４】
実施の形態３．
実施の形態１〜２では、報知メッセージの表示タイミングを設定することのできる映像表示装置やプロジェクタの構成について説明した。
本発明の実施の形態３では、報知メッセージを表示させる画面上の位置を設定することのできる構成について説明する。
【００３５】
図９は、本実施の形態３におけるメッセージ表示タイミング設定画面の構成例を示すものである。
図９のメッセージ表示タイミング設定画面は、実施の形態１で説明した図３と同様の構成を有するが、新たに「表示位置」欄が追加されている。同欄は、プルダウン選択ボックスで報知メッセージの画面表示位置を規定の選択肢から選択できるようになっている。ここでは、「中央」「左上」「左下」「右上」「右下」の５つの選択肢から選択できるように構成している。
【００３６】
図１０は、本実施の形態３における表示タイミングテーブル５１１の構成を説明するものである。
図１０に示す表示タイミングテーブル５１１は、実施の形態１で説明した図４と同様の構成を有するが、図９における「表示位置」欄の選択結果を格納するため、新たに「表示位置」列が追加されている。
「表示位置」列は、図９における「表示位置」欄の選択結果を格納する。格納形式は「中央」などの文字列としてもよいし、数値を格納して、「０」であれば「中央」を指すものとする、などのルールを設けておいてもよい。
なお、本実施の形態３における「位置指定情報」は、上記「表示位置」列に格納される情報がこれに該当する。
【００３７】
制御部２１は、時計制御部６１のアラームタイマからの通知を受けると、表示タイミングテーブル５１１に格納されている情報を用いて、画面上に報知メッセージが表示されるように各部を制御する。このとき、報知メッセージの表示位置は、表示タイミングテーブル５１１の「表示位置」列の値に基づく。
【００３８】
なお、以上説明したような表示位置の設定機能は、実施の形態１における映像表示装置１、実施の形態２におけるプロジェクタ２のいずれにも適用可能なものである。
【００３９】
実施の形態１〜３において、終了予定時刻をあらかじめ設定しておくこととしたが、終了予定時刻の替わりに、「開始から３０分後と４０分後に報知メッセージを表示する」などの設定を行うように構成してもよい。
この場合、上映開始時刻を本体に通知するためのキー（例えば「ＳＴＡＲＴ」キー等）を操作パネル４１ないしリモコンＲＣに設けるとともに、表示タイミングテーブル５１１には、終了予定時刻の替わりに開始時刻を格納するようにする必要がある。
【００４０】
以上のように、本実施の形態３によれば、実施の形態１〜２で説明した効果に加えて、メッセージの画面表示位置をユーザが自由に設定できるので、映像の内容に応じて適切に表示位置を設定することにより、大事な場面などで不用意に映像をメッセージで隠してしまうようなことを回避できる。
【図面の簡単な説明】
【００４１】
【図１】実施の形態１に係る映像表示装置の構成を示すブロック図である。
【図２】映像表示装置１のユーザから見た動作について説明するものである。
【図３】メッセージの表示タイミングを事前に設定するための設定画面例である。
【図４】記憶部５１が格納する表示タイミングテーブル５１１の構成である。
【図５】ユーザがメッセージ表示タイミングを設定する際の動作フローである。
【図６】制御部２１がアラームタイマから通知を受けた際の動作フローである。
【図７】実施の形態２に係るプロジェクタの構成を示すブロック図である。
【図８】メッセージ表示タイミング設定画面の別の構成例を示すものである。
【図９】実施の形態３におけるメッセージ表示タイミング設定画面の構成例である。
【図１０】実施の形態３における表示タイミングテーブル５１１の構成である。
【符号の説明】
【００４２】
１  映像表示装置、２  プロジェクタ、３  ＰＣ、１１  液晶パネル駆動部、１２  液晶パネル、１３  光源、１４  液晶ライトバルブ駆動部、１５Ｒ  液晶ライトバルブ、１５Ｇ  液晶ライトバルブ、１５Ｂ  液晶ライトバルブ、１６  投射光学系、２１  制御部、３１  映像入力部、３２  映像信号処理部、３３  フレームメモリ、４１  操作パネル、４２  操作信号処理部、５１  記憶部、ＳＣ  スクリーン、５１１  表示タイミングテーブル。
【図１】
2008107708.tif 000003
【図２】
2008107708.tif 000004
【図３】
2008107708.tif 000005
【図４】
2008107708.tif 000006
【図５】
2008107708.tif 000007
【図６】
2008107708.tif 000008
【図７】
2008107708.tif 000009
【図８】
2008107708.tif 000010
【図９】
2008107708.tif 000011
【図１０】
2008107708.tif 000012